(57)【要約】【課題】両面表示が可能な電気光学装置において、光源を共用化することにより、安価で薄型化した電気光学装置および電子機器を提供することを目的とする。【解決手段】本発明の電気光学装置１０は、第１の表示パネル１００と第２の表示パネル２００とで共通に設けられたＬＥＤ３０１と、第１の表示パネル１００および第２の表示パネル２００を跨いで、これらの少なくとも有効表示領域に亘って延在し、ＬＥＤ３０１から発せられた光を均一に導光する導光板３０２と、導光板３０２から出射される光を第１の表示パネル側に反射する第１の反射シート３０５と、導光板３０２から出射される光を第２の表示パネル２００側に反射する第２の反射シート３０６とを備えている。【選択図】        図２
2005099471.tif 000002
【特許請求の範囲】
【請求項１】
両面に表示パネルを備えた電気光学装置において、
第１の面側および第２の面側の任意の位置にそれぞれ配設され、画像を表示可能な第１および第２の表示パネルと、
前記第１の表示パネルと前記第２の表示パネルとで共通に設けられた光源と、
前記光源の光を導光する導光板と、
前記導光板で導光される光を前記第１の表示パネルおよび前記第２の表示パネルに出射するための導光補助手段と、を備え、
前記第２の表示パネルに光を出射させる導光補助手段は、前記第１の表示パネルの外側に設けられることを特徴とする電気光学装置。
【請求項２】
両面に表示パネルを備えた電気光学装置において、
第１の面側および第２の面側にそれぞれ設けられ、導光板を挟んで互いに対向しない位置に配設された第１および第２の表示パネルと、
前記第１の表示パネルと前記第２の表示パネルとで共通に設けられた光源と、
前記第１の表示パネルと前記第２の表示パネル間に配設され、前記第１の表示パネルおよび前記第２の表示パネルを跨いで、これらの少なくとも有効表示領域に亘って延在し、前記光源から発せられた光を導光する前記導光板と、
前記導光板を挟んで前記第１の表示パネルと対向する位置に配設され、当該導光板から出射される光を前記第１の面側に反射する第１の反射部材と、
前記導光板を挟んで前記第２の表示パネルと対向する位置に配設され、当該導光板から出射される光を前記第２の面側に反射する第２の反射部材と、
を備えたことを特徴とする電気光学装置。
【請求項３】
両面に表示パネルを備えた電気光学装置において、
第１の面側および第２の面側にそれぞれ設けられ、導光板を挟んで互いに対向する位置に配設された第１および第２の表示パネルと、
前記第１の表示パネルと前記第２の表示パネルとで共通に設けられた光源と、
前記第１の表示パネルと前記第２の表示パネル間に配設され、前記光源から発せられた光を導光する前記導光板と、
前記導光板の前記第２の面側に配設され、両面に反射面が形成された反射部材と、
前記反射部材の前記第２の面と、前記第２の表示パネルとの間に配設され、端面から入射される光を均一に導光する第２の導光板と、
前記導光板の一方の端面からの漏れ光を前記第２の導光板の端面から入射させる補助導光部材と、
を備えたことを特徴とする電気光学装置。
【請求項４】
前記導光板と、前記第２の導光板と、および前記補助導光部材とは、一体に形成されることを特徴とする請求項３に記載の電気光学装置。
【請求項５】
前記光源は、ＬＥＤであり、前記導光板の一方の端面に対向する位置に配設されることを特徴とする請求項１〜請求項４のいずれか１つに記載の電気光学装置。
【請求項６】
前記第１の表示パネルは、前記第２の表示パネルの外形よりも大きいことを特徴とする請求項１〜請求項５のいずれか１つに記載の電気光学装置。
【請求項７】
請求項１〜請求項６のいずれか１つに記載の電気光学装置を搭載したことを特徴とする電子機器。
【発明の詳細な説明】
【技術分野】
【０００１】
本発明は、電気光学装置、およびこの電気光学装置を備えた電子機器に関し、詳細には、両面に表示パネルを備えた電気光学装置、およびこの電気光学装置を備えた電子機器に関するものである。
【背景技術】
【０００２】
従来より、開閉可能な蓋部を携帯電話やＰＤＡ（Ｐｅｒｓｏｎａｌ  Ｄｉｇｉｔａｌ  Ａｓｓｉｓｔａｎ）などの情報携帯端末の内側面と外側面に、２つの液晶表示装置を背中合わせに配設した両面液晶表示装置が用いられている。従来の両面液晶表示装置の一例を図４に示す（例えば、特許文献１参照）。従来の両面液晶表示装置は、図４に示すように、表裏に配設された第１および第２の液晶パネル８０１、８０５と、第１および第２の液晶パネル８０１、８０５の光源となる第１および第２のＬＥＤ８０２、８０６と、第１および第２のＬＥＤ８０２、８０６からの光を拡散して第１および第２の液晶パネル８０１、８０５にそれぞれ導光する第１および第２の導光板８０３、８０７と、第１および第２のＬＥＤ８０２、８０６から第１および第２の導光板８０３、８０７を通過した光をそれぞれ反射する第１および第２の反射シート８０８、８０９と、これらの部材を固定する外枠８０４とを備えている。
【０００３】
【特許文献１】特開２００２−２４４１３３号公報、図６
【発明の開示】
【発明が解決しようとする課題】
【０００４】
しかしながら、従来の両面液晶表示装置は、単純に２つのバックライトを貼り合わせた構造であるため、光源がそれぞれ必要となり、光源のコストが高くなるという問題がある。また、導光板の厚さは、ＬＥＤの厚さより小さいと導光効率が下がるため、導光板の厚さをＬＥＤの厚さ以上にしなければならないが、２つのバックライトを貼り合わせた構造では、バックライトの厚さがＬＥＤを２つ重ねた以上の厚さになるため、その薄型化が困難であるという問題がある。
【０００５】
本発明は、上記に鑑みてなされたものであり、両面表示が可能な電気光学装置において、光源を共用化することにより、安価で薄型化した電気光学装置およびその電気光学装置を備えた電子機器を提供することを目的とする。
【課題を解決するための手段】
【０００６】
上述した課題を解決し、目的を達成するために、本発明は、両面に表示パネルを備えた電気光学装置において、第１の面側および第２の面側の任意の位置にそれぞれ配設され、画像を表示可能な第１および第２の表示パネルと、前記第１の表示パネルと前記第２の表示パネルとで共通に設けられた光源と、前記光源の光を導光する導光板と、前記導光板で導光される光を前記第１の表示パネルおよび前記第２の表示パネルに出射するための導光補助手段と、を備え、前記第２の表示パネルに光を出射させる導光補助手段は、前記第１の表示パネルの外側に設けられることを特徴とする。
【０００７】
上記発明によれば、共通に設けられた光源から発せられた光は、導光板で均一に導光され、導光補助手段により第１の表示パネルおよび第２の表示パネルに出射される。これにより、第１の表示パネルと第２の表示パネルで光源を共通化することができ、また、バックライトの厚みを薄くすることができる。この結果、安価で薄型化した電気光学装置を提供することができる。
【０００８】
上述した課題を解決し、目的を達成するために、本発明は、両面に表示パネルを備えた電気光学装置において、第１の面側および第２の面側に、前記導光板を挟んで互いに対向しない位置にそれぞれ配設された第１および第２の表示パネルと、前記第１の表示パネルと前記第２の表示パネルとで共通に設けられた光源と、前記第１の表示パネルと前記第２の表示パネル間に配設され、前記第１の表示パネルおよび前記第２の表示パネルを跨いで、これらの少なくとも有効表示領域に亘って延在し、前記光源から発せられた光を導光する導光板と、前記導光板を挟んで前記第１の表示パネルと対向する位置に配設され、当該導光板から出射される光を前記第１の面側に反射する第１の反射部材と、前記導光板を挟んで前記第２の表示パネルと対向する位置に配設され、当該導光板から出射される光を前記第２の面側に反射する第２の反射部材と、を備えたことを特徴とする。
【０００９】
上記発明によれば、第１および第２の表示パネルを第１の面および第２の面に、互いに対向しない位置に配設し、共通の光源から発せられた光を、第１および第２の表示パネルを跨いで延在する導光板で均一に導光する。そして、導光板を挟んで第１の表示パネルと対向する位置に配設された第１の反射部材で、導光板から出射される光を第１の面側に反射し、また、導光板を挟んで第２の表示パネルと対向する位置に配設された第２の反射部材で導光板から出射される光を第２の面側に反射する。これにより、光源を共通化して、バックライトの厚さを薄くすることができる。この結果、安価でかつ薄型化した両面表示が可能な電気光学装置を提供することができる。
【００１０】
上述した課題を解決し、目的を達成するために、本発明は、両面に表示パネルを備えた電気光学装置において、第１の面側および第２の面側に互いに対向する位置にそれぞれ配設された第１および第２の表示パネルと、前記第１の表示パネルと前記第２の表示パネルとで共通に設けられた光源と、前記第１の表示パネルと前記第２の表示パネル間に配設され、前記光源から発せられた光を導光する導光板と、前記導光板の前記第２の面側に配設され、両面に反射面が形成された反射部材と、前記反射部材の前記第２の面と、前記第２の表示パネルとの間に配設され、端面から入射される光を導光する第２の導光板と、前記導光板の一方の端面からの漏れ光を前記第２の導光板の端面から入射させる補助導光部材と、を備えたことを特徴とする。
【００１１】
これにより、共通の光源から発せられた光を導光板で均一に導光し、直接または反射部材で反射された後、第１の表示パネルに入射する一方、補助導光部材は、導光板の一方の端面からの漏れ光を、第２の導光板の端面から入射させ、第２の導光板に入射した漏れ光は、直接または反射部材で反射された後、第２の表示パネルに入射させることができる。この結果、光源を共通化して、安価でかつ薄型化した両面表示が可能な電気光学装置を提供することができる。
【００１２】
また、本発明の好ましい態様によれば、前記導光板と、前記第２の導光板と、および前記補助導光部材は、一体に形成することが望ましい。これにより、導光板と、第２の導光板と、および補助導光部材の製造コストを低減することができる。
【００１３】
また、本発明の好ましい態様によれば、前記光源は、ＬＥＤであり、前記導光板の一方の端面に対向する位置に配設されることが望ましい。これにより、光源として、点光源であるＬＥＤを使用したため、消費電力を低減できるとともに、バックライトを薄型化することができる。
【００１４】
また、本発明の好ましい態様によれば、前記第１の表示パネルは、前記第２の表示パネルの外形よりも大きいことが望ましい。これにより、メインパネルとサブパネルを備えた電気光学装置を安価かつ薄型化することができる。
【００１５】
また、本発明の好ましい態様によれば、電子機器は、上述の電気光学装置を搭載することが望ましい。これにより、安価でかつ薄型化した両面表示が可能な電子機器を提供することができる。
【発明を実施するための最良の形態】
【００１６】
以下、この発明につき図面を参照しつつ詳細に説明する。なお、この実施例によりこの発明が限定されるものではない。また、下記実施例における構成要素には、当業者が容易に想定できるものまたは実質的に同一のものが含まれる。なお、以下の実施例においては、液晶表示装置を例として説明するが、本発明にかかる電気光学装置はこれに限定されるものではない。また、本明細書においては、電気光学パネルまたは電気光学モジュールの単体の場合も電気光学装置と称する。
【実施例１】
【００１７】
図１は、実施例１にかかる電気光学装置を搭載した電子機器１の斜視図であり、図１−１は、蓋部を開いた状態の図、図１−２は、蓋部を閉じた状態の図である。図１−１に示すように、電子機器１には、蓋部の内側に第１の表示パネル（メイン表示パネル）１００が配設され、これと蝶番で開閉可能に接続された本体部５００にキーボードや各種制御部・処理部・記憶部等が搭載されている。そして、電子機器１の蓋部を矢印Ａ方向に閉じると、図１−２に示すように、蓋部の外側面に第２の表示パネル（サブ表示パネル）２００が配設されている。
【００１８】
図２は、実施例１の電気光学装置１０の構成を模式的に示す断面図である。実施例１の電気光学装置１０は、大別すると、画像を表示可能な第１の表示パネル１００と、第１の表示パネル１００より小さい外形を有し、導光板３０２を挟んで第１の表示パネル１００と対向しない位置に配設され、画像を表示可能な第２の表示パネル２０と、第１の表示パネル１００および第２の表示パネル２００に共通に設けられたバックライト部３００とを備えて構成されている。これらの部材は不図示の反射ケースにその側面が覆われている。以下の説明では、第１の表示パネル１００が配設されている面を第１の面、第２の表示パネル２００が配設されている面を第２の面と称する。
【００１９】
第１の表示パネル１００は、アクティブマトリクス型の液晶表示パネルであり、対向して配設された二枚の上表示基板１００ａおよび下表示基板１００ｂの間に液晶が封入されて構成されている。上表示基板１００ａおよび下表示基板１００ｂはガラスで構成される。上表示基板１００ａには、不図示のカラーフィルタ、保護層、ＩＴＯ膜で形成された第１の駆動電極等が形成されている。下表示基板１００ｂには、不図示のＴＦＤやＴＦＴ等のスイッチング素子、保護膜、第２の駆動電極等が形成されている。第１の表示パネル１００の両側には、それぞれ不図示の上偏光板および下偏光板が貼着されている。第１の表示パネル１００は、不図示の固定テープで反射ケース（不図示）に固定されている。
【００２０】
第２の表示パネル２００は、パッシブマトリクス型のモノクロ液晶表示パネルであり、対向して配設された二枚の上表示基板２００ａおよび下表示基板２００ｂの間に液晶が封入されて構成されている。上表示基板２００ａおよび下表示基板２００ｂはガラスで構成される。上表示基板２００ａおよび下表示基板２００ｂには、走査電極およびデータ電極が形成されている。第２の表示パネル２００の両面にはそれぞれ不図示の上偏光板および下偏光板が貼着されている。第２の表示パネル２００は、不図示の固定テープで反射ケース（不図示）に固定されている。
【００２１】
第１の表示パネル１００と第２の表示パネル２００の間には、バックライト部３００が配設されている。バックライト部３００は、ＬＥＤ３０１と、導光板３０２と、第１の光学シート３０３と、第２の光学シート３０４と、第１の反射シート（第１の反射部材）３０５と、第２の反射シート（第２の反射部材）３０６とで構成されている。ＬＥＤ３０１は、第１の表示パネル１００と第２の表示パネル２００で共通に設けられたもので、ＦＰＣ４００に実装され、導光板３０２の一方の端面３０２ａに対向する位置に配設されている。このＬＥＤ３０１は複数個配設されている。導光板３０２は、第１の表示パネル１００と第２の表示パネル２００とで共通に設けられている。かかる導光板３０２は、ＬＥＤ３０１と略同一の厚みを有しており、第１および第２の表示パネル１００、２００を跨いで、これらの少なくとも有効表示領域に渡って延在し、ＬＥＤ３０１から発せられた光を均一に導光する。
【００２２】
第１の光学シート３０３は、第１の表示パネル１００と導光板３０２間に配設され、導光板３０２から出射される光を拡散する拡散シートと、この拡散シートで拡散された光を偏光して第１の表示パネル１００に出射するプリズムシートとで構成されている。同様に、第２の光学シート３０４は、第２の表示パネル２００と導光板３０２間に配設され、導光板３０２から出射される光を拡散する拡散シートと、この拡散シートで拡散された光を偏光して第２の表示パネル２００に出射するプリズムシートとで構成されている。
【００２３】
第１の反射シート３０５は、導光板３０２を挟んで第１の表示パネル１００と対向する位置に第２の光学シート３０４の端面と当接させて配設されており、導光板３０２の漏れ光を第１の面側に反射する。同様に、第２の反射シート３０６は、第１の表示パネル１００の外側の、第１の表示パネル１００の外側と重ならない位置であって、導光板３０２を挟んで第２の表示パネル２００と対向する位置に、第１の光学シート３０３の端面と当接して配設されており、導光板３０２の漏れ光を第２の面側に反射する。上記第１の反射シート３０５および第２の反射シート３０６は、本発明の導光補助手段を構成する。
【００２４】
上記構成において、ＬＥＤ３０１から発せられた光は、導光板３０２の端面３０２ａから入射する。導光板３０２では、入射光が導光されてその一部が、直接または第１の反射シート３０５で反射された後、第１の光学シート３０３を介して第１の表示パネル１００に入射する。また、導光板３０２で導光された光の一部は、直接または第２の反射シート３０６で反射された後、第２の光学シート３０４を介して第２の表示パネル２００に入射する。
【００２５】
以上説明したように、実施例１の電気光学装置１０によれば、導光板３０２を第１の表示パネル１００と第２の表示パネル２００間に、第１および第２の表示パネル１００、２００を跨いでこれらの少なくとも有効表示領域に渡って延在させ、第１および第２の反射シート３０５、３０６で、第１および第２の表示パネル１００、２００側に反射させる構造である。
【００２６】
これにより、共通の光源であるＬＥＤ３０１から発せられた光を導光板３０２で均一に導光し、導光板３０２から直接または第１の反射シート３０５で反射させた後、第１の表示パネル１００に入射させる一方、導光板３０２から直接または第２の反射シート３０６で反射させた後、第２の表示パネル２００に入射させることができる。この結果、光源を共通化して、ＬＥＤ３０１と略同一の厚みの１枚の導光板３０２で、第１および第２の表示パネル１００、２００のバックライトを構成することができ、バックライトを安価かつ薄型化した構成とすることができる。この結果、安価でかつ薄型化した両面表示が可能な電気光学装置を提供することができる。
【００２７】
また、実施例１の電気光学装置１０によれば、光源としてＬＥＤ３０１を使用し、導光板３０２の一方の端面３０２ａに対向する位置に配設することとしたので、点光源であるＬＥＤを使用したため、消費電力を低減できるとともに、バックライトを薄型化することができる。また、実施例１の電気光学装置１０によれば、ＬＥＤ３０１と導光板３０２の厚さを略同一としたので、導光板３０２の導光効率を低下させることなく、バックライトを薄型化することができる。
【実施例２】
【００２８】
図３は、実施例２の電気光学装置２０の構成を模式的に示す断面図である。図２と同等機能を有する部位には同一符号を付してある。実施例１では、導光板３０２を第１および第２の表示パネル１００、２００間に、当該第１および第２の表示パネル１００、２００を跨いで延在させ、第１および第２の反射シート３０５、３０６で、第１および第２の表示パネル１００、２００側に反射させる構成として光源を共通化した。これに対して、実施例２では、導光板を挟んで第１の表示パネル１００と第２の表示パネル２００を対向する位置に配設し、第１の表示パネル１００に導光する導光板の漏れ光を第２の表示パネル２００に導く構成として、光源を共通化している。
【００２９】
第２の表示パネル２００は、第１の表示パネル１００より小さい外形を有し、第１の表示パネルと対向する位置に配されている。第１の表示パネル１００と第２の表示パネル２００の間には、バックライト部６００が配設されている。このバックライト部６００は、ＬＥＤ６０１と、導光板６０２と、第２の導光板６０３と、補助導光部材６０４と、第１の光学シート６０５と、第２の光学シート６０６と、反射シート６０７とで構成されている。
【００３０】
ＬＥＤ３０１は、第１の表示パネル１００と第２の表示パネル２００で共通に設けられたもので、ＦＰＣ４００に実装され、導光板６０２の一方の端面６０２ａに対向する位置に配設されている。このＬＥＤ６０１は複数個配設されている。導光板６０２は、第１の光学シート６０５を挟んで第１の表示パネル１００に対向する位置に配設されており、ＬＥＤ６０１から発せられた光を均一に導光する。かかる導光板６０２は、ＬＥＤ６０１と略同一の厚みを有している。第２の導光板６０３は、反射シート６０７の第２の面側に設けられ、第２の光学シート６０６を挟んで第２の表示パネル２００と対向する位置に配設されている。第２の導光板６０３は、導光板６０２よりも薄く、すなわち、ＬＥＤ６０１よりも薄く形成されている。補助導光部材６０４は、断面三角形状を呈し、第１の表示パネル１００及び第２の表示パネル２００の外側であって、重ならない位置に、導光板６０２の端面６０２ｂおよび第２の導光板６０３の端面６０３ａを跨いでこれらの端面６０２ｂ、６０３ｂに当接させて配設されている。補助導光部材６０４は、導光板６０２の端面６０２ｂからの漏れる光を、第２の導光板６０３の端面６０３ａに導光して漏れ光を入射させる。ここでは、導光板６０２、第２の導光板６０３、および補助導光部材６０４を別部材で構成しているが、同一の部材で構成して一体化することにしても良い。上記第２の導光板６０３および補助導光部材６０４は、本発明の導光補助手段を構成する。
【００３１】
反射シート６０７は、両面に反射面を有しており、導光板６０２を挟んで第１の表示パネル１００と対向する位置に配設されている。反射シート６０７は、導光板６０２の漏れ光を第１の面側に反射する一方、第２の導光板６０３の漏れ光を第２の面側に反射する。第１の光学シート６０５は、第１の表示パネル１００と導光板６０２間に配設され、導光板６０２から出射される光を拡散する拡散シートと、この拡散シートで拡散された光を偏光して第１の表示パネル１００に出射するプリズムシートとで構成されている。同様に、第２の光学シート６０６は、第２の表示パネル１００と第２の導光板６０３間に配設され、第２の導光板２００から出射される光を拡散する拡散シートと、この拡散シートで拡散された光を偏光して第２の表示パネル２００に出射するプリズムシートとで構成されている。
【００３２】
上記構成において、ＬＥＤ６０１から発せられた光は、導光板６０２の端面６０２ａから入射し、導光板６０２内を導光されてその一部が、直接または反射シート６０７で反射された後、第１の光学シート６０５を介して第１の表示パネル１００に入射する。また、導光板６０２で導光された光の一部は端面６０２ｂから漏れて、補助導光部材６０４に入射し、補助導光部材６０４で導光されて第２の導光板６０３の端面６０３ａから入射する。第２の導光板６０３に入射した漏れ光は、直接または反射シート６０７で反射された後、第２の光学シート６０６を介して第２の表示パネル２００に入射する。
【００３３】
以上説明したように、実施例２の電気光学装置２０によれば、第１の表示パネル１００に光を導光する導光板６０２と、導光板６０２の端面６０２ｂからの漏れ光を第２の導光板６０３の端面６０３ａから入射させる補助導光部材６０４とを設けた構造である。これにより、共通の光源であるＬＥＤ６０１から発せられた光を導光板６０２で均一に導光し、直接または反射シート６０７で反射させた後、第１の表示パネル１００に入射させることができる。他方、補助導光部材６０４は、導光板６０２の端面６０２ｂからの漏れ光を、第２の導光板６０３の端面６０３ａから入射させ、第２の導光板６０３に入射した漏れ光は、直接または反射シート６０７で反射された後、第２の表示パネル２００に入射させることができる。この結果、光源を共通化して、ＬＥＤ６０１と略同一の厚みの導光板６０２と、ＬＥＤ６０１よりも薄い第２の導光板３０３とで、第１および第２の表示パネル１００、２００のバックライトを構成することができ、バックライトを安価かつ薄型化した構成とすることができる。この結果、安価でかつ薄型化した両面表示が可能な電気光学装置を提供することができる。
【００３４】
また、実施例２の電気光学装置２０によれば、導光板６０２と、第２の導光板６０３と、および補助導光部材６０４を一体に構成することとしたので、導光板６０２と、第２の導光板６０３と、および補助導光部材６０４の製造コストを低減することができる。
【産業上の利用可能性】
【００３５】
本発明にかかる電気光学装置は、透過型、反射型、および半透過型の電気光学装置に利用することができる。また、本発明にかかる電気光学装置は、パッシブマトリクス型の電気光学装置やアクティブマトリクス型の電気光学装置（例えば、ＴＦＴ（薄膜トランジスタ）やＴＦＤ（薄膜ダイオード）をスイッチング素子として備えた電気光学パネル）に利用することができる。さらに、本発明にかかる電気光学装置は、液晶表示装置に限らず、、バックライトを用いて表示をおこなう各種の電気光学装置に利用することができる。
【００３６】
本発明にかかる電気光学装置を搭載した電子機器は、携帯電話機、ＰＤＡ（Personal Digital Assistants）と呼ばれる携帯型情報機器、携帯型パーソナルコンピュータ、パーソナルコンピュータ、ワークステーション、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、およびＰＯＳ端末機などの電子機器に広く利用することができる。
【図面の簡単な説明】
【００３７】
【図１−１】実施例１の電子機器の概略の全体構成を示す斜視図。
【図１−２】実施例１の電子機器の概略の全体構成を示す斜視図。
【図２】実施例１の電気光学装置の模式的な断面図。
【図３】実施例２の電気光学装置の模式的な断面図。
【図４】従来の両面液晶表示装置の構成の一例を示す断面図。
【符号の説明】
【００３８】
１  電子機器、１０  電気光学装置、２０  電気光学装置、１００  第１の表示パネル、２００  第２の表示パネル、３００  バックライト部、３０１  ＬＥＤ３０１、３０２  導光板、第０３  第１の光学シート、３０４  第２の光学シート、３０５  第１の反射シート、３０６  第２の反射シート、４００  ＦＰＣ、５００  本体部、６００  バックライト部、６０１  ＬＥＤ、６０２  導光板、第６０３  ２の導光板、６０４  補助導光部材、６０５  第１の光学シート、６０６  第２の光学シート、６０７  反射シート、７００  ＦＰＣ
【図１−１】
2005099471.tif 000003
【図１−２】
2005099471.tif 000004
【図２】
2005099471.tif 000005
【図３】
2005099471.tif 000006
【図４】
2005099471.tif 000007